(57)【要約】【課題】両手を用いた作業を行う際に邪魔になりにくい傘支持具を提供する。【解決手段】傘８を固定するための傘固定手段21を備え装着者９の背中側に位置する支持具本体２と、この支持具本体２から延設され、装着者９の体幹部に巻き付けられる胴ベルト３と、前記支持具本体２から上方に向かって延設された左右の肩掛けベルト４と、を備えており、前記左右の肩掛けベルト４は、装着者９の体幹部に巻き付けられた前記胴ベルト３と係合自在な係合手段をそれぞれの先端部に有する、傘支持具１とした。【選択図】図６
0003207786.tif 000002
【実用新案登録請求の範囲】
【請求項１】
傘を固定するための傘固定手段を備え装着者の背中側に位置する支持具本体と、
この支持具本体から延設され、装着者の体幹部に巻き付けられる胴ベルトと、
前記支持具本体から上方に向かって延設された左右の肩掛けベルトと、を備えており、
前記左右の肩掛けベルトは、装着者の体幹部に巻き付けられた前記胴ベルトと係合自在な係合手段をそれぞれの先端部に有する、
傘支持具。
【請求項２】
肩掛けベルトが、長さ調節手段を有しており、
肩掛けベルトの長さを調節することで、肩掛けベルトの先端部の係合手段を作業者が装着するズボンなどのベルトループまたはベルトと係合させることができるように構成されている、
請求項１記載の傘支持具。
【請求項３】
肩掛けベルト先端部の係合手段が、フック状係合片である、
請求項１または２記載の傘支持具。
【請求項４】
左右の肩掛けベルトに架設され、傘の中棒を保持する中棒保持手段を備えた肩掛けベルト架設体と、
この肩掛けベルト架設体に一端側が取り付けられるとともに、装着者の頭部に固定される頭部固定手段を有する頭部連結ベルトと、を備えた、
請求項１〜３いずれか記載の傘支持具。
【考案の詳細な説明】
【技術分野】
【０００１】
本考案は、傘支持具に関する。
【背景技術】
【０００２】
傘は、一般的に、中棒と、この中棒の一端側から放射状に伸びる複数の親骨と、隣り合った親骨の間に形成される傘布とを有しており、雨よけや日よけなどの目的で用いられる。通常、傘を使用する場合には、使用者が中棒または中棒に設けられた把持部を手で把持することが多い。しかし、こうすると少なくとも一方の手は塞がってしまうため、両手で荷物を持ったり両手での作業を行ったりすることができなくなっていた。
【０００３】
また、傘のなかでもいわゆるビーチパラソルなどは、中棒の他端側をビーチに突き刺すなどして地面に固定して用いられることが多い。この場合、使用者の両手は自由に使えるものの、その場から移動すると傘の陰などから外れてしまうという問題があった。
【０００４】
このような観点から、使用者が傘ホルダーを装着し、この傘ホルダーに傘を固定するという方法があった。このような方法に用いられる傘ホルダーは例えば、下記特許文献１に記載されている。
【０００５】
下記特許文献１には、「ユーザの腰部周囲に巻き付けられる腰用ベルトと、前記腰用ベルトに取付けられ、傘の軸と同軸の直線部と，底部と，折返部からなる略Ｊ字状に湾曲した傘の持ち手を収容可能で上方が開口した持ち手収容体と、ユーザの一方側の肩から他方側の脇へたすき掛けにされる胸用ベルトと、前記胸用ベルトに取付けられ前記傘の軸を挿通しつつ保持可能な軸支持体と、を備える傘ホルダーにおいて、前記持ち手収容体の前側及び後側の上端縁部は、弾性力を有し内側に折り返し可能で、その折り返しによって前記傘の持ち手を収容した際に前記弾性力を利用して前記傘の持ち手の直線部及び折返部の二箇所をそれぞれ同時に前後から押圧して挟持可能なことを特徴とする傘ホルダー。」が記載され、これによって、「持ち手収容体と軸支持体を備えるので、傘が上下二箇所で支えられ、傘を手で持つことなく差すことができる。また、持ち手収容体の前側又は後側のいずれか一方の上端縁部は、弾性力を有し内側に折り返し可能で、その折り返しによって傘の持ち手を収容した際に弾性力を利用して傘の持ち手の直線部及び折返部の二箇所をそれぞれ同時に前又は後ろから押圧して挟持可能なので、しっかりと傘の持ち手が固定され、使用状態において傘が安定して保持される。また、その固定操作を片手のみで行うことができる。」などとある。
【先行技術文献】
【特許文献】
【０００６】
【特許文献１】特許第５７７５１３０号公報
【考案の概要】
【考案が解決しようとする課題】
【０００７】
しかしながら、前記特許文献１記載の傘ホルダーは、装着者（使用者）の前側に傘を装着するものであり（特許文献１の段落００３１および図１参照）、装着者の前側に傘があることによって、例えば農作業やコンバインの運転など、両手を用いた作業を行う際に不便なことがあった。
【０００８】
本考案は、従来の傘支持具の課題を解決するものであり、両手を用いた作業を行う際に邪魔になりにくい傘支持具を提供することを目的とする。
【課題を解決するための手段】
【０００９】
上記課題を解決するために、本考案の傘支持具は、傘を固定するための傘固定手段を備え装着者の背中側に位置する支持具本体と、この支持具本体から延設され、装着者の体幹部に巻き付けられる胴ベルトと、前記支持具本体から上方に向かって延設された左右の肩掛けベルトと、を備えており、前記左右の肩掛けベルトは、装着者の体幹部に巻き付けられた前記胴ベルトと係合自在な係合手段をそれぞれの先端部に有する構成とした。
【００１０】
この傘支持具は、装着者の背中側に支持具本体が位置するため、両手を用いた作業を行う際に邪魔になりにくい。装着者の背中側に支持具本体を位置させた状態で胴ベルトを装着者の体幹部に巻き付けて、さらに左右の肩掛けベルトを肩にかければ、装着者の前側で容易に、肩掛けベルト先端部の係合手段を胴ベルトと係合させることができる。
【００１１】
ここで、肩掛けベルトが、長さ調節手段を有しており、肩掛けベルトの長さを調節することで、肩掛けベルトの先端部の係合手段を作業者が装着するズボンなどのベルトループまたはベルトと係合させることができるように構成されている傘支持具とすることができる。
【００１２】
この傘支持具は、肩掛けベルトの先端部の係合手段を作業者が装着するズボンなどのベルトループまたはベルトと係合させることで、より安定的に傘を支持することができる。
【００１３】
またここで、肩掛けベルト先端部の係合手段が、フック状係合片である傘支持具とすることもできる。
【００１４】
この傘支持具は、より一層、肩掛けベルト先端部の係合手段を胴ベルトなどと係合させやすくなる。
【００１５】
またここで、左右の肩掛けベルトに架設され、傘の中棒を保持する中棒保持手段を備えた肩掛けベルト架設体と、この肩掛けベルト架設体に取り付けられるとともに、装着者の頭部に固定される頭部固定手段を有する頭部連結ベルトと、を備えた傘支持具とすることもできる。
【００１６】
この傘支持具は、傘をより安定的に支持することができる。装着者の頭にも傘などの重量が分配されるため、装着感が軽くなる。
また、両手を用いた作業などの際であっても、装着者が頭の位置を動かすことなどによって、傘の位置や角度を調節することができるため、作業性が高くなる。
【考案の効果】
【００１７】
本考案により、両手を用いた作業を行う際に邪魔になりにくい新規な構成の傘支持具を提供することができる。
【図面の簡単な説明】
【００１８】
【図１】傘支持具の正面図である。
【図２】支持具本体の右側面図である。
【図３】傘支持具を装着した状態を装着者の背中側から見た図である。
【図４】傘支持具を装着した状態を装着者の正面側から見た図である。
【図５】肩掛けベルトの係合手段をベルトと係合させた状態を示す図４相当の図である。
【図６】傘支持具に傘を固定した状態を装着者の背中側から見た図である。
【図７】別例の傘支持具の正面図である。
【図８】図７のＡ‐Ａ線切断面を矢印方向から見た端面図である。
【図９】別例の傘支持具を装着して傘を固定した状態を装着者の背中側から見た図である。
【図１０】別例の傘支持具を装着して傘を固定した状態を装着者の左側面側から見た図である。
【図１１】別例の傘支持具を装着して傘を固定した状態を装着者の背中側から見た写真である。
【考案を実施するための形態】
【００１９】
以下、図を用いて傘支持具を説明する。傘支持具は支持具本体、胴ベルトおよび左右の肩掛けベルトを備える。
以下の実施形態はあくまで本考案を例示説明するものであって、本考案は、以下の具体的な実施形態に限定されるものではない。
【００２０】
１．傘支持具
［支持具本体］
支持具本体２は、傘を固定するための傘固定手段21を備えている。そして、装着者９の背中側に位置する。傘固定手段21によって、支持具本体２に傘が固定される。
【００２１】
本実施形態では、支持具本体２は、図１などに示すように、傘固定手段21と、この傘固定手段21の下部に固定され、胴ベルト３（後述）が取り付けられる横長状の下プレート22と、傘固定手段21の上部に固定され、左右の肩掛けベルト４（後述）が取り付けられる横長状の上プレート23とで構成されている。
傘固定手段21について、本実施形態では、上方に向けて開口して傘８の中棒81が挿入される筒状体210と、この筒状体210に上方から挿入された中棒81を筒状体210にロックするロック機構211とで構成されている。筒状体210の内側空間の大きは、例えば、装着する傘の中棒が挿入可能な寸法とすればよい。
なお、本実施形態では、傘固定手段21の筒状体210が、下筒と、この下筒に挿入された上筒とからなり、両者の側壁を貫通するネジ手段によって両者が位置固定された構成となっている。
また、本実施形態では、支持具本体２の装着者９側に緩衝材25を取り付けてある。具体的には、図２に例示するように、下プレート22の装着者側と上プレート23の装着者側にスポンジ状の緩衝材25を取り付けてある。
【００２２】
［胴ベルト］  
胴ベルト３は、支持具本体２から延設されており、装着者９の体幹部に巻き付けられる。ここで体幹部とは、腰部、腹部、胸部を含む概念である。
【００２３】
本実施形態では、胴ベルト３は、図１などに示すように、支持具本体２の下プレート22の左右それぞれから外方向に向けて延設されており、一端側にフック手段31（図１ではスナップフック）、他端側に四角リンク32が取り付けてある。そして、フック手段31が四角リンク32に係合することで、胴ベルト３が装着者９の体幹部に巻き付けられた状態に維持される。また、本実施形態では、胴ベルト長さ調節手段33が設けてあり、装着者９の胴体寸法などにあわせて胴ベルト３の長さを調節可能としてある。
【００２４】
［肩掛けベルト］
肩掛けベルト４は、支持具本体２から上方に向かって延設されている。本実施形態では、肩掛けベルト４は、図１などに例示するように、支持具本体２の上プレート23の上部の左右それぞれから上方に向かって延設されている。
【００２５】
そして、左右の肩掛けベルト４は、装着者９の体幹部に巻き付けられた胴ベルト３と係合自在な係合手段41をそれぞれの先端部に有する。本実施形態では、図１などに例示するように、係合手段41としてフック状係合片を用いてある。本実施形態では、フック状係合片として、作業者９が装着するズボンなどのベルトループ92またはベルト91とも係合させることができるように、大きめのものを使用している。
【００２６】
また、本実施形態では、左右の肩掛けベルト４それぞれに長さ調節手段42が設けてあり、肩掛けベルト４の長さを調節可能としてある。そして、肩掛けベルト４を長めに調節することで、肩掛けベルト４先端部の係合手段41（本実施形態ではフック状係合片）を、作業者９が装着するズボンなどのベルトループ92またはベルト91と係合させることができるように構成されている。
【００２７】
［傘支持具の装着方法］
このような構成の傘支持具１を装着する方法について、以下に例示説明する。
例えば、まず最初に、図３に例示するように、支持具本体２を装着者９の背中側に位置させて、支持具本体２の左右から延設された胴ベルト３の先端部を装着者９の前側に持ってくる。必要に応じて胴ベルト３の長さを調節し、胴ベルト３の先端部のフック手段31を四角リンク32に係合させる。
次に、左右の肩掛けベルト４を、肩の上方から装着者９の前側に持ってきて、必要に応じて肩掛けベルト４の長さを調節し、図４に例示するように、肩掛けベルト４の先端部の係合手段41（本実施形態ではフック状係合片）を装着者９の前側で胴ベルト３と係合させる。
そして、装着者９の背中側に位置固定された支持具本体２に、傘８（本実施形態では持ち手のついていないビーチパラソル）を固定する。具体的には、図６に例示するように、支持具本体２の筒状体210の開口に傘８の中棒81を挿入した後、ロック機構211で固定する。最後に、装着者９にフィットするように、胴ベルト３および肩掛けベルト４の長さを調節する。
【００２８】
ここで、左右の肩掛けベルト４について、長めに調節することで、係合手段41（本実施形態ではフック状係合片）を、作業者９が装着しているズボン、つなぎ服、スカートなどのベルトループ92またはベルト91と係合させることもできる。図５には、係合手段41を作業者が装着しているズボンベルト91に係合させた例を示してある。
【００２９】
２．別例の傘支持具
次に、図７〜図11に例示してある傘支持具の別例について説明する。本別例の傘支持具は、肩掛けベルト架設体５と、頭部連結ベルト６を有する点で、前述した傘支持具とは異なる。
【００３０】
［肩掛けベルト架設体］
肩掛けベルト架設体５は、左右の肩掛けベルト４に架設されて傘８の中棒81を保持するものであり、中棒81を保持する中棒保持手段52を有する。
本別例では、肩掛けベルト架設体５は、図８に例示するように、左右の肩掛けベルト４に架設された架設体本体51と、この架設体本体51の左右方向中央部に取り付けられた略円筒状の中棒保持手段52とで構成される。本別例では、架設体本体51の左右両端それぞれが、左右の肩掛けベルト４の幅方向中央に縫い付けなどの手段で固定されている。また、略円筒状の中棒保持手段52は、架設体本体51の左右方向中央部に縫い付けなどの手段で固定されている。
肩掛けベルト架設体５を架設する位置は、左右の肩掛けベルト４を上方に弛み無く伸ばした状態において、支持具本体２の上端から肩掛けベルト架設体５までの距離が５〜２０ｃｍとなるような位置が好ましく、当該距離が５〜１５ｃｍとなるような位置がより好ましい。
中棒保持手段52には、装着者９の上方側から傘８の中棒81を貫通させる。
【００３１】
［頭部連結ベルト］
頭部連結ベルト６は、肩掛けベルト架設体５に一端側が取り付けられるとともに、装着者９の頭部に固定される頭部固定手段61を有する。
本別例では、図８に例示するように、肩掛けベルト架設体５の中棒保持手段52に頭部連結ベルト６の一端側が取り付けられている。そして、図７に例示するように、頭部連結ベルト６の他端側に頭部固定手段61を有している。
【００３２】
本別例では、頭部連結ベルト６として伸縮自在なゴム状体を用いてある。このゴム状体の一端側が中棒保持手段52に取り付けられるとともに、他端側が環状に形成され頭部固定手段61を構成している。環状に形成された部分を装着者９の頭部に巻くように取り付けて、頭部固定手段61が頭部に固定される。本別例では、頭部固定手段61は、環状部分のサイズを調節するためのサイズ調節手段62を有しており、装着者９の頭の大きさに合わせて、サイズ調節自在となっている。
【００３３】
［別例の傘支持具の装着方法］
このような構成の別例の傘支持具を装着する方法について、以下に例示説明する。
例えば、まず最初に、図９に例示するように、支持具本体２を装着者９の背中側に位置させて、支持具本体２の左右から延設された胴ベルト３の先端部を装着者９の前側に持ってくる。必要に応じて胴ベルト３の長さを調節し、胴ベルト３の先端部のフック手段31を四角リンク32に係合させる。
次に、左右の肩掛けベルト４を、肩の上方から装着者９の前側に持ってきて、必要に応じて肩掛けベルト４の長さを調節し、肩掛けベルト４の先端部の係合手段41（本実施形態におけるフック状係合片）を装着者９の前側で胴ベルト３と係合させる。
そして、装着者９の背中側に位置固定された支持具本体２に、傘８を固定する。具体的には、傘８の中棒81を、肩掛けベルト架設体５に設けた略円筒状の中棒保持手段52に上方側から貫通させるとともに、支持具本体２の筒状体210の開口に中棒81を挿入した後、ロック機構211で固定する。
最後に、頭部固定手段61を頭部に固定して、傘８の中棒81と頭部を連結した後、装着者９にフィットするように、胴ベルト３および肩掛けベルト４の長さを調節する。
【００３４】
以上、特定の実施形態を参照して本考案を説明したが、本考案は上記実施形態に限定されるものではなく、当該技術分野における熟練者等により、本出願の願書に添付された実用新案登録請求の範囲から逸脱することなく、種々の変更及び修正が可能である。
【００３５】
例えば、上記実施形態では、持ち手のついていないビーチパラソルを傘支持具に取り付ける例を説明したが、持ち手のついている傘を取り付けることもできる。この場合には、例えば、傘固定手段を縦割り円筒状で、連結解放自在な断面半円状のツーピース構造とし、傘の中棒を内側に挟んだ後、各ピースを連結して傘を取り付けることなどができる。
【符号の説明】
【００３６】
１  傘支持具
２  支持具本体
21  傘固定手段
210  筒状体
211  ロック機構
22  下プレート
23  上プレート
25  緩衝材
３  胴ベルト
31  フック手段
32  四角リンク
33  胴ベルト長さ調節手段
４  肩掛けベルト
41  係合手段（フック状係合片）
42  長さ調節手段
５  肩掛けベルト架設体
51  架設体本体
52  中棒保持手段
６  頭部連結ベルト
61  頭部固定手段
62  サイズ調節手段
８  傘
81  中棒
９  装着者
91  ベルト
92  ベルトループ
【図１】
0003207786.tif 000003
【図２】
0003207786.tif 000004
【図３】
0003207786.tif 000005
【図４】
0003207786.tif 000006
【図５】
0003207786.tif 000007
【図６】
0003207786.tif 000008
【図７】
0003207786.tif 000009
【図８】
0003207786.tif 000010
【図９】
0003207786.tif 000011
【図１０】
0003207786.tif 000012
【図１１】
0003207786.tif 000013